(57)【要約】【課題】本発明は、クッションパッドを有するケースを提供することを目的とする。【解決手段】本発明のクッションパッドを有するケースは、ケース本体及び回動軸によってケース本体に回動可能に枢着されるケース蓋体を備え、ケース本体には、突上げ装置及び突上げ装置と回動軸との間に接続される接続部材が装着され、突上げ装置はクッションパッドに接続され、クッションパッドはケース本体の外部に突出することができ、ケース本体に対してケース蓋体を開ける場合、回動軸は接続部材の一端を突き上げるので、接続部材の他端は突上げ装置によってクッションパッドをケース本体の外部に突出させて、ケース本体はクッションパッドによって支持される。【選択図】図４
2014081926.tif 000002
【特許請求の範囲】
【請求項１】
ケース本体及び回動軸によって前記ケース本体に回動可能に枢着されるケース蓋体を備えてなるケースであって、
前記ケース本体には、突上げ装置及び前記突上げ装置と前記回動軸との間に接続される接続部材が装着され、前記突上げ装置はクッションパッドに接続され、前記クッションパッドは前記ケース本体の外部に突出することができ、
前記ケース本体に対して前記ケース蓋体を開ける場合、前記回動軸は前記接続部材の一端を突き上げるので、前記接続部材の他端は前記突上げ装置によって前記クッションパッドを前記ケース本体の外部に突出させて、前記ケース本体は前記クッションパッドによって支持されることを特徴とするクッションパッドを有するケース。
【請求項２】
前記ケース本体に対して前記ケース蓋体を閉じる場合、前記回動軸は前記接続部材の一端を放すので、前記接続部材の他端は前記突上げ装置によって前記クッションパッドを引っ張って前記ケース本体の内部に収容させることを特徴とする、請求項１に記載のクッションパッドを有するケース。
【請求項３】
前記回動軸は、第一回動部及び前記第一回動部から延在して形成される第二回動部を備え、前記ケース本体には貫通孔が設けられ、前記ケース蓋体には第三取付孔が設けられ、前記第一回動部は前記貫通孔及び前記第三取付孔を貫通して、前記ケース蓋体を前記ケース本体に回動可能に枢着することを特徴とする、請求項１または２に記載のクッションパッドを有するケース。
【請求項４】
前記第二回動部には突出部が突出して形成され、前記ケース本体に対して前記ケース蓋体を開ける場合、前記回動軸も前記ケース本体に対して回動して、前記回動軸は前記突出部によって前記接続部材の一端を突き上げることを特徴とする請求項３に記載のクッションパッドを有するケース。
【請求項５】
前記接続部材は、第一接続部及び第一接続部から垂直に延在して形成される第二接続部を備え、第一接続部の左右両側には第三回動部がそれぞれに突出して形成され、第二接続部の自由端には第一取付部が突出して形成され、前記ケース本体から枢着孔を有する２つの第二支持部が突出して形成され、前記突上げ装置の一端には第一取付孔が設けられ、
前記接続部材の２つの第三回動部を２つの前記第二支持部の枢着孔に貫通させて、前記第一接続部の一端は前記第二回動部に当接し、前記接続部材の第一取付部は前記突上げ装置の第一取付孔を貫通することを特徴とする、請求項３または４に記載のクッションパッドを有するケース。
【請求項６】
前記突上げ装置の他端には第二取付孔が設けられ、前記クッションパッドから第一支持部が突出して形成され、前記第一支持部から第二取付部が突出して形成され、前記クッションパッドの第二取付部は前記突上げ装置の第二取付孔を貫通することを特徴とする、請求項５に記載のクッションパッドを有するケース。
【請求項７】
前記ケース本体には、前記クッションパッドを収容するための収容孔が設けられ、前記クッションパッドは前記収容孔を貫通して前記ケース本体の外部に突出することを特徴とする、請求項１から６のいずれか一項に記載のクッションパッドを有するケース。
【発明の詳細な説明】
【技術分野】
【０００１】
本発明は、ケースに関するものであり、特にクッションパッドを有するケースに関するものである。
【背景技術】
【０００２】
ノートパソコン、タブレットのような電子装置はテーブルのようなプラットフォーム上に載置させて使用する場合があるが、電子装置をプラットフォーム上に直接載置させると、電子装置の表面がプラットフォームと直接接触する。このため、電子装置を動かしたときに摩擦によって電子装置の表面が損耗し易く、その結果、電子装置の使用寿命が短縮される場合がある。さらに、電子装置をプラットフォーム上に直接載置させると、電子装置とプラットフォームとの間の空気の流通が阻害されるので、電子装置の放熱にも悪い影響を与える。
【発明の概要】
【発明が解決しようとする課題】
【０００３】
本発明の目的は、前記課題を解決するために、クッションパッドを有するケースを提供することである。
【課題を解決するための手段】
【０００４】
本発明に係るクッションパッドを有するケースは、ケース本体及び回動軸によってケース本体に回動可能に枢着されるケース蓋体を備え、ケース本体には、突上げ装置及び突上げ装置と回動軸との間に接続される接続部材が装着され、突上げ装置はクッションパッドに接続され、クッションパッドはケース本体の外部に突出することができ、ケース本体に対してケース蓋体を開ける場合、回動軸は接続部材の一端を突き上げるので、接続部材の他端は突上げ装置によってクッションパッドをケース本体の外部に突出させて、ケース本体はクッションパッドによって支持される。
【発明の効果】
【０００５】
本発明において、クッションパッドによってケース本体をプラットフォームに支持することができるので、ケース本体はプラットフォームから離間されて放熱されやすくなる。
【図面の簡単な説明】
【０００６】
【図１】本発明の実施形態に係るクッションパッドを有するケースの斜視図である。
【図２】図１に示すクッションパッドを有するケースの一部分を示す分解斜視図である。
【図３】図２に示すＣ部分の拡大図である。
【図４】図２に示すクッションパッドを有するケースの一部分を示す組立斜視図である。
【図５】図４に示すＥ部分の拡大図である。
【発明を実施するための形態】
【０００７】
以下、図面を参照して、本発明の実施形態について説明する。
【０００８】
図１を参照すると、本発明の実施形態に係るクッションパッドを有するケースは、ケース本体１０と、ケース本体１０に回動可能に枢着されるケース蓋体２０と、ケース本体１０のケース蓋体２０に近い片側の二隅に装着される２つのクッションパッド３０と、を備える。以下、ケースの左後側の隅の構造を例として詳しく説明し、ケースの右後側の隅の構造はケースの左後側の隅の構造と同じであるのでその説明を省略する。
【０００９】
図１〜図３を併せて参照すると、ケース本体１０とケース蓋体２０との間には回動軸４０が取り付けられる。回動軸４０は、柱状の第一回動部４１及び第一回動部４１から延在して形成される柱状の第二回動部４２を備え、第一回動部４１の寸法は第二回動部４２の寸法より小さく、第二回動部４２には突出部４２１が径方向に突出して形成される。なお、突出部４２１は、回動軸４０の軸方向に沿って形成されている。
【００１０】
ケース本体１０には、１つのクッションパッド３０に接続される突上げ装置５０が装着される。突上げ装置５０の一端には第一取付孔５１が設けられ、突上げ装置５０の他端には第二取付孔５２が設けられる。回動軸４０と突上げ装置５０との間には接続部材６０が装着される。接続部材６０は、第一接続部６１及び第一接続部６１から垂直に延在して形成される第二接続部６２を備え、第一接続部６１の左右両側には第三回動部６１１がそれぞれに突出して形成され、第二接続部６２の自由端には柱状の第一取付部６２１が突出して形成される。クッションパッド３０の上表面から第一支持部３１が突出して形成され、第一支持部３１から第二取付部３１１が突出して形成される。第一取付孔５１の寸法は第一取付部６２１の寸法と同じであり、第二取付孔５２の寸法は第二取付部３１１の寸法と同じである。
【００１１】
ケース本体１０にはクッションパッド３０を収容するための収容孔１１が設けられる。ケース本体１０の上表面から２つの第二支持部１２が突出して形成され、各々の第二支持部１２には枢着孔１２１が設けられる。ケース本体１０の２つの第二支持部１２に近い箇所には貫通孔１３が設けられる。ケース蓋体２０には第三取付孔２１が設けられる。第三回動部６１１の寸法は、枢着孔１２１の寸法と同じである。クッションパッド３０の寸法は、収容孔１１の寸法と同じである。
【００１２】
図１〜図５を参照すると、組み立てる場合、先ず、ケース本体１０の貫通孔１３とケース蓋体２０の第三取付孔２１とを位置合わせしてから、回動軸４０の第一回動部４１を貫通孔１３及び第三取付孔２１に貫通させて、ケース蓋体２０をケース本体１０に回動可能に枢着する。次に、接続部材６０の第一接続部６１の２つの第三回動部６１１を２つの第二支持部１２の枢着孔１２１に貫通させて、第一接続部６１の一端を回動軸４０の第二回動部４２に当接させる。次に、接続部材６０の第二接続部６２の第一取付部６２１を突上げ装置５０の第一取付孔５１に貫通させてから、クッションパッド３０の第二取付部３１１を突上げ装置５０の第二取付孔５２に貫通させて、突上げ装置５０をクッションパッド３０と接続部材６０との間に接続する。最後に、クッションパッド３０をケース本体１０の収容孔１１に収容する。
【００１３】
上述の組立方法によって２つのクッションパッド３０を取り付けてから、クッションパッド３０はケース本体１０の外部に突出することにより、クッションパッド３０によってケース本体１０をプラットフォームに支持することができる。ケース本体１０に対してケース蓋体２０を開けると、回動軸４０もケース本体１０に対して回動して、突出部４２１が接続部材６０に当接し、突出部４２１は第一接続部６１の一端を突き上げて、第二接続部６２は下降するので、第二接続部６２に接続された突上げ装置５０はクッションパッド３０を収容孔１１から突き上げて、クッションパッド３０はケース本体１０の外部に突出してケース本体１０及びケース蓋体２０を支持する。クッションパッド３０によってケース本体１０はプラットフォームから離間されて放熱されやすくなる。
【００１４】
ケース本体１０に対してケース蓋体２０を閉じると、回動軸４０もケース本体１０に対して回動して、突出部４２１は接続部材６０から離れて第一接続部６１の一端を放し、第二接続部６２は上昇して、第二接続部６２に接続された突上げ装置５０も上昇してクッションパッド３０を引っ張るので、クッションパッド３０は収容孔１１に収容される。
【００１５】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１６】
１０  ケース本体
１１  収容孔
１２  第二支持部
１３  貫通孔
２０  ケース蓋体
２１  第三取付孔
３０  クッションパッド
３１  第一支持部
４０  回動軸
４１  第一回動部
４２  第二回動部
５０  突上げ装置
５１  第一取付孔
５２  第二取付孔
６０  接続部材
６１  第一接続部
６２  第二接続部
１２１  枢着孔
３１１  第二取付部
４２１  突出部
６１１  第三回動部
６２１  第一取付部
【図１】
2014081926.tif 000003
【図２】
2014081926.tif 000004
【図３】
2014081926.tif 000005
【図４】
2014081926.tif 000006
【図５】
2014081926.tif 000007